(57)【特許請求の範囲】
【請求項１】
車両情報について画像情報として表示するように画像制御回路を介して表示器を制御する制御手段を備えてなる車両用表示装置であって、
前記車両情報を入力するための入力ポートと前記車両情報に応じて前記表示器に表示させるための制御信号を出力する制御手段と前記表示器に接続される配線とを実装する制御回路基板と、
前記制御手段からの制御信号に基づいて前記画像情報を生成し、この画像情報を前記配線を介して前記表示器へ出力する前記画像制御回路を実装する駆動回路基板と、
を備えてなることを特徴とする車両用表示装置。
【請求項２】
前記制御回路基板は、前記表示器と前記駆動回路基板との間に設けられることを特徴とする請求項１に記載の車両用表示装置。
【発明の詳細な説明】
【技術分野】
【０００１】
本発明は、画像にて車両情報を表示する車両用表示装置に関し、例えば、車両情報について画像情報として表示するように画像制御回路を介して表示器を制御する制御手段を備えてなる車両用表示装置に好適である。
【背景技術】
【０００２】
従来、車両用表示装置としては、複数の車両情報をバッファメモリやグラフィックコントローラ（画像制御回路）などによって生成される画像情報をＴＦＴ型の液晶パネル（表示器）に表示するものがあり、例えば、特許文献１に記載されている。
【特許文献１】特開２００７−２７８７０９号公報
【発明の開示】
【発明が解決しようとする課題】
【０００３】
しかしながら、このような車両用表示装置にあっては、車両の機種毎に車両用表示装置のデザイン自体が異なるため、専用の回路基板をその都度用意する必要があった。また、画像制御回路にあっては、略同様な回路構成であるにも関わらず、例えば、液晶の表示パネルのサイズや、駆動するための信号線の仕様毎に、対応させるための回路基板を専用に用意する必要があったため、この回路基板の設計や部品毎の各種品質試験など工程が煩雑化してしまうという問題があった。
【０００４】
そこで本発明の目的とするところは、上述した問題に着目してなされたものであって、画像制御回路を実装する回路基板について汎用性を高めた車両用表示装置を提供することにある。
【課題を解決するための手段】
【０００５】
本発明の車両用表示装置は、請求項１に記載のように、車両情報について画像情報として表示するように画像制御回路を介して表示器を制御する制御手段を備えてなる車両用表示装置であって、前記車両情報を入力するための入力ポートと前記車両情報に応じて前記表示器に表示させるための制御信号を出力する制御手段と前記表示器に接続される配線とを実装する制御回路基板と、前記制御手段からの制御信号に基づいて前記画像情報を生成し、この画像情報を前記配線を介して前記表示器へ出力する前記画像制御回路を実装する駆動回路基板と、を備えてなることを特徴とする。
【０００６】
また、請求項２に記載のように、前記制御回路基板は、前記表示器と前記駆動回路基板との間に設けられることを特徴とする。
【発明の効果】
【０００７】
本発明は、車両情報について画像情報として表示するように画像制御回路を介して表示器を制御する制御手段を備えてなる車両用表示装置に関し、画像制御回路を実装する回路基板について汎用性を高めた車両用表示装置を提供できる。
【発明を実施するための最良の形態】
【０００８】
以下、本発明が適用された実施の形態について添付図面を用いて説明する。
【０００９】
図１は、本発明の一実施例を示すものであり、車両用表示装置の電気的な構成を示すブロック図である。車両用表示装置は、制御回路基板１と、駆動回路基板２と、表示器３と、を備えている。
【００１０】
制御回路基板１は、車両に搭載される各種センサからの車両情報をＣＡＮ（Ｃｏｎｔｒｏｌｌｅｒ  Ａｒｅａ  Ｎｅｔｗｏｒｋ）ケーブル等を経由して受信するための入力ポート１１や、この車両情報に応じて、表示器３に表示させるための制御信号を演算し出力する制御手段１２や、後述する駆動回路基板２の画像制御回路からの駆動信号を中継して表示器３へ出力するための配線１３などを実装する回路基板である。また、制御回路基板１は、表示器３と駆動回路２との間に位置するように設けられる。
【００１１】
また、制御手段１２は、車両情報を入力し、この車両情報について表示器３に表示させるための表示内容を制御信号として生成し、後述する駆動回路基板２の画像制御回路へ出力するものである。制御手段１２は、車両の走行速度やエンジン回転数など各種車両情報を入力し、この各種車両情報に基づいて制御信号を生成するための演算処理を行うＣＰＵと、このＣＰＵにおける演算処理結果等を一時的に格納する読出し及び書換え可能なＲＡＭと、制御プログラムや制御データを格納したＲＯＭと、ＥＥＰＲＯＭなどからなり各種描画用データを格納する外部記憶部などと接続するための入出力インターフェイスと、が接続されている。なお、制御回路基板１は、可撓性配線基板やこれに対応するコネクタなどを介して駆動回路基板２、または表示器３と接続される。この場合、可撓性配線基板には、制御信号や後述する駆動信号を伝えるための複数の信号線の他にノイズシールド用の接地面や接地配線が設けられる。
【００１２】
制御手段１２は、この場合、制御回路基板１の表面側に設けられる表示器３を制御するための制御信号の他に、車両からの各種情報に応じて回動する指針と、この指針の指示対象となる指標とを対比判読する所謂アナログ計器用の制御信号を演算し出力するための制御手段として兼用しており、指針の回動駆動源となるモータが制御回路基板２に実装されている。なお、制御手段１２は、ＣＡＮを経由して得られる位置情報や地図情報、車両の走行情報等によってナビゲーションの案内表示に関して演算処理してもよいし、別体に案内表示に関する演算処理を行う外部機器から画像用データとして入力するものであってもよい。
【００１３】
また、配線１３は、この場合、駆動回路基板２から駆動信号を入力するための可撓性配線基板における信号線の配列順序や本数などを、表示器３の仕様に対応させるための調整部と、前記駆動信号のノイズを軽減するための抵抗素子などからなるノイズ軽減部と、一端に可撓性配線基板を介して駆動回路基板２と接続するためのコネクタと、他端に別の可撓性配線基板を介して表示部３と接続するためのコネクタと、を設けている。
【００１４】
駆動回路基板２は、制御回路基板１の裏面側に設けられ、画像制御回路２１と、この画像制御回路２１を駆動するための電源回路２２と、を実装する回路基板である。画像制御回路２１は、グラフィックコントローラからなり、制御手段１２からの制御信号を入力し、この制御信号に基づいて表示器３を表示画面に対応する画素毎の描画用データを駆動信号（画像情報）として生成し、制御回路基板１上に設けられる配線１３を介して制御回路基板１の表面側に設けられる表示器３へ出力するものである。なお、駆動回路基板２は、この場合、ビデオ信号を入力するための外部入力用コネクタが実装されており、外部機器からのビデオ信号を表示器３に出力することもできる。
【００１５】
表示器３は、車両利用者によって視認可能な位置において車両情報について画像情報として表示するものであり、例えば、車両のインストルメントパネルに設けられるＴＦＴ型液晶表示素子を用いることができる。また、表示器３は、画像制御回路２１からの駆動信号を配線１３を介して入力し、この駆動信号に基づいて作動する図示しない液晶ドライバの駆動によって、所望の画像を表示することができる。なお、表示器３は、液晶表示素子ではなく、有機ＥＬ素子を適用することもできる。
【００１６】
斯かる車両用表示装置は、車両情報について画像情報として表示するように画像制御回路２１を介して表示器３を制御する制御手段１２を備えてなる車両用表示装置であって、前記車両情報を入力するための入力ポート１１と前記車両情報に応じて表示器３に表示させるための制御信号を出力する制御手段１２と表示器３に接続される配線１３とを実装する制御回路基板１と、制御手段１２からの制御信号に基づいて前記画像情報を生成し、この画像情報を配線１３を介して表示器３へ出力する画像制御回路２１を実装する駆動回路基板２と、を備えてなる。
【００１７】
従って、例えば、表示器３の表示サイズが異なる場合であっても、画像制御回路を実装する回路基板（駆動回路基板２）を再設計することなく、制御回路基板１のみを設計することによって、表示器３を作動させることができるため、汎用性の高い駆動回路基板を備えた車両用表示装置となる。
【００１８】
また、制御回路基板１は、表示器３と駆動回路基板２との間に設けられることによって、各回路基板１，２間や制御回路基板１と表示器３との間における信号線を短くできるだけでなく、車両用表示装置としての表示意匠に関係する制御回路基板１や表示器３の位置や形状などの設計に応じて、駆動回路基板２を配置することができるため、設置位置について比較的自由度が高く、汎用性の高い駆動回路基板を備えた車両用表示装置となる。
【００１９】
なお、本発明の車両用表示装置を上述した実施の形態に構成にて例に挙げて説明したが、本発明はこれに限定されるものではなく、他の構成においても、本発明の要旨を逸脱しない範囲において種々の改良、並びに設計の変更が可能なことは勿論である。
【図面の簡単な説明】
【００２０】
【図１】本発明の実施の形態の車両用表示装置の概略を示すブロック図。
【符号の説明】
【００２１】
１    制御回路基板
１１  入力ポート
１２  制御手段
１３  配線
２    駆動回路基板
２１  画像制御回路
３    表示器
【図１】
0004905805.tif 000002